(57)【要約】【課題】  コストの上昇を抑えつつ底部の強度を強くし、食品の破損防止をより向上させ得る樹脂製容器を提供する。【解決手段】  上方が開口した薄肉の樹脂製容器１において、底部２の外縁またはその近傍位置に、下方に向けて突出した脚部１０が、該脚部１０よりも内側の底部部分１２を浮上させる状態で、底部２の外縁に沿って環状に設けられている。また、脚部１０は蛇行状態に形成されている。【選択図】      図１
0003116296.tif 000002
【実用新案登録請求の範囲】
【請求項１】
上方が開口した薄肉の樹脂製容器において、
底部の外縁またはその近傍位置に、下方に向けて突出した脚部が、該脚部よりも内側の底部部分を浮上させる状態で、底部外縁に沿って環状に設けられていることを特徴とする樹脂製容器。
【請求項２】
請求項１に記載の樹脂製容器において、
環状をした前記脚部が蛇行形状に形成されていることを特徴とする樹脂製容器。
【請求項３】
請求項１または２に記載の樹脂製容器において、
環状をした前記脚部が、下端で折り返された二重構造となっていることを特徴とする樹脂製容器。
【請求項４】
請求項１乃至３のいずれかに記載の樹脂製容器において、
前記底部が概略矩形状に形成されていることを特徴とする樹脂製容器。
【請求項５】
請求項１乃至４のいずれかに記載の樹脂製容器において、
前記底部に繋がる側面に、上方の開口を塞ぐ蓋が設けられていることを特徴とする樹脂製容器。
【考案の詳細な説明】
【技術分野】
【０００１】
本考案は、例えば苺などの傷み易い果物や野菜などの食品を入れる樹脂製容器に関する。
【背景技術】
【０００２】
上記樹脂製容器として、概略矩形状をした底部の四隅の下側に半球状の突起が設けられたパック容器が知られている（例えば、特許文献１参照）。
【特許文献１】特開２００５−１２６１２３号公報
【考案の開示】
【考案が解決しようとする課題】
【０００３】
ところで、上述したパック容器においては、底部四隅の突起により底部中央部を浮き上がらせてクッション性を確保することが可能であるので、パック容器に入れた上段の食品の重さにより容器底面に押し付けられた食品が破損（潰れ或いは傷みなど）するのを一応は防ぐことが可能である。
【０００４】
しかしながら、上記パック容器の場合には、突起が四隅に形成されているだけであるために底部中央部が撓み易く、また、薄肉の樹脂製で作製されているため半球状の突起自体も歪み易く、底部の強度が不足気味であった。その結果、底部中央部の浮上高さが小さくなってクッション性が不足して、底部中央部が容器の下側のものに当たることで、食品の破損を十分に防止することが困難となる。よって、この点に関して改善の余地が残されていた。なお、樹脂製容器の厚みを厚くした場合には、材料費が嵩んでコスト高となり好ましくない。
【０００５】
本考案は、このような従来技術の課題を解決するためになされたもので、コストの上昇を抑えつつ底部の強度を強くし、食品の破損防止をより向上させ得る樹脂製容器を提供することを目的とする。
【課題を解決するための手段】
【０００６】
本発明の樹脂製容器は、上方が開口した薄肉の樹脂製容器において、底部の外縁またはその近傍位置に、下方に向けて突出した脚部が、該脚部よりも内側の底部部分を浮上させる状態で、底部外縁に沿って環状に設けられていることを特徴とする。
【０００７】
本発明の請求項２の樹脂製容器は、請求項１に記載の樹脂製容器において、環状をした前記脚部が蛇行形状に形成されていることを特徴とする。
【０００８】
本発明の請求項３の樹脂製容器は、請求項１または２に記載の樹脂製容器において、環状をした前記脚部が、下端で折り返された二重構造となっていることを特徴とする。
【０００９】
本発明の請求項４の樹脂製容器は、請求項１乃至３のいずれかに記載の樹脂製容器において、前記底部が概略矩形状に形成されていることを特徴とする。
【００１０】
本発明の請求項５の樹脂製容器は、請求項１乃至４のいずれかに記載の樹脂製容器において、前記底部に繋がる側面に、上方の開口を塞ぐ蓋が設けられていることを特徴とする。
【考案の効果】
【００１１】
本考案による場合には、脚部が環状に設けられているので、底部外縁の全域で底部を支えることとなって底部中央部が撓み難くなり、かつ、脚部が環状であるので無端状になるとともに、脚部が下向きに突出していて上下方向からの衝撃に強くなって脚部自体も撓み難くなる。その結果として、底部の強度が向上する。よって、クッション性が向上し、食品破損の防止が有効になる。また、底部強度の向上に伴って、容器の厚みを従来のまま、或いはより薄肉にすることが可能となるので、コストの上昇を抑えることができる。
【００１２】
また、請求項２による場合には、脚部が蛇行しているため、側面方向に伸びている部分を有するので、側面方向から衝撃を受けても脚部が撓み難くなり、食品の破損をより抑制し得る。また、脚部が蛇行しているので、脚部による底部の支持面積が広くなって底部の強度がより向上し、食品の破損を更に抑制し得る。
【００１３】
更に、請求項３による場合には、脚部が二重構造となっているので、脚部の厚みが２倍に増大して脚部の強度が大幅に向上する。これにより、実質的に容器の厚みを従来のまま或いはより薄肉にすることが可能となる。
【考案を実施するための最良の形態】
【００１４】
以下に、本考案を具体的に説明する。
【００１５】
図１は本考案の一実施形態に係る樹脂製容器を底部斜め方向から見た外観斜視図である。
【００１６】
この樹脂製容器１は、薄肉の樹脂製シートを金型により成形してなる、上方が開口した容器であり、底部２が概略矩形状、図示例では概略長方形状に形成されている。樹脂としては、本実施形態では熱可塑性の樹脂であって、透明なものを用いている。
【００１７】
手前側の短辺の側面３には外側に突出した凸部３ａが縦方向に形成されており、手前側の長辺の側面４にも、同様に外側に突出した凸部４ａが縦方向に形成されている。また、図に表れていないが、奥側の短辺の側面５及び長辺の側面６も、同様に、外側に突出した凸部が縦方向に形成されている。これら４側面３〜６の凸部は、各側面の強度を向上させるためのものである。また、４側面３〜６の上端には、先端が下向きとなった環状のフランジ部７が外側に張り出させて設けられている。
【００１８】
また、底部２の下側には、底部２外縁の近傍位置に環状の脚部１０が底部２外縁の全長にわたり設けられている。この脚部１０は、底部２から下方に突出するように形成されていて、断面形状が概略Ｕ字状となっている（図２参照）。つまり、脚部１０は、下端１０ａで折り返された二重構造となっている。脚部１０の突出長（高さ）Ｈは、底部２における環状の脚部１０よりも内側に、下側へ断面円弧状に突出形成した凸部１１の高さよりも高く、脚部１０よりも内側の底部中央部１２を浮上させ得る寸法に設定されている。また、概略Ｕ字状の脚部１０における上方の開口幅Ｌ１（図２参照）は、上記断面円弧状をした凸部１１の上側に開口したその開口幅Ｌ２（図１参照）よりも極めて小さいものである。
【００１９】
また、脚部１０は、蛇行形状、例えば概略Ｓ字状のものを連結した平面形状に形成されている。このため、脚部１０は、側面方向寄りに伸びた部分１０ｂを有するので、側面方向から衝撃を受けても脚部１０を撓み難くし、また、脚部１０による底部２の支持面積が広くなって底部２の強度をより向上させるように機能する。
【００２０】
次に、この樹脂製容器１の作製方法につき簡単に説明する。
【００２１】
図３に示す金型２０を用意する。この金型２０は、図１に示す樹脂製容器１の脚部１０と脚部１０よりも内側部分が下側に窪んだ凹部２１を有するように形成され、かつその凹部２１の外縁よりも少し内側を外縁とする押上部２２を有するように構成されている。なお、凹部２１の外縁と押上部２２の外縁との距離Ｌ３は、二重構造となっている脚部１０の厚み寸法Ｗ（後述する熱可塑性樹脂シート３０の厚みの約２倍）とほぼ同一寸法に設定されている。上記押上部２２は、図示しない押上手段により一定高さ分だけ白抜矢印にて示すように上方に押上げられるようになっている。
【００２２】
次に、熱可塑性樹脂シート３０を加熱して真空に吸引すると、図３に示すように、上記金型２０の表面に吸着されて、熱可塑性樹脂シート３０は金型表面に応じた形状とされる。つまり、脚部１０は形成されてなく、脚部形成箇所Ａおよびその内側が低くなった形状とされる。
【００２３】
その後、熱可塑性樹脂シート３０が軟化している間に、押上部２２を上昇させると、シート３０の底部部分が破線にて示すように上昇し、脚部形成箇所Ａに、上方が開口した断面Ｕ字状の脚部１０が蛇行状態に形成される。
【００２４】
したがって、本実施形態の樹脂製容器１にあっては、脚部１０が環状に設けられているので、底部２外縁の全域で底部２を支えることとなって底部中央部１２が撓み難くなり、かつ、脚部１０が環状であるので無端状になるとともに、脚部１０が下向きに突出していて上下方向からの衝撃に強くなって脚部１０自体も撓み難くなる。その結果として、底部２の強度が向上する。よって、クッション性が向上し、食品破損の防止が有効になる。また、底部２の強度の向上に伴って、容器１の厚みを従来のまま、或いはより薄肉にすることが可能となるので、コストの上昇を抑えることができる。
【００２５】
また、本実施形態の場合には、脚部１０が蛇行しているため、側面方向寄りに伸びている部分１０ｂを有するので、側面方向から衝撃を受けても脚部１０が撓み難くなり、食品の破損をより抑制し得る。また、脚部１０が蛇行しているので、脚部１０による底部２の支持面積が広くなって底部２の強度がより向上し、食品の破損を更に抑制し得る。
【００２６】
更に、本実施形態の場合には、脚部１０が二重構造となっているので、脚部１０の厚みが２倍に増大して脚部１０の強度が大幅に向上する。これにより、実質的に容器１の厚みを従来のまま或いはより薄肉にすることが可能となる。
【００２７】
なお、上述した実施形態では脚部を概略Ｓ字状に蛇行させた形状に形成しているが、本考案はこれに限らず、三角波形や角が角張った矩形波形、或いはサインカーブなどの形状に形成してもよい。このようにした場合においても、同様の効果が得られる。但し、矩形波形の場合には、脚部１０の前記部分１０ｂを、側面方向に一致して伸びるように形成できる。
【００２８】
また、上述した実施形態では、上方を開口したままの容器について説明しているが、本考案はこれに限らず、４側面の一つに、開口を塞ぐ蓋が連結された構成の容器にも同様に適用することができる。
【図面の簡単な説明】
【００２９】
【図１】本考案の一実施形態に係る樹脂製容器を底部斜め方向から見た外観斜視図である。
【図２】図１の樹脂製容器の底部に設けた脚部を示す断面図である。
【図３】図１の樹脂製容器の作製方法の説明図（断面図）であり、金型とともに示している。
【符号の説明】
【００３０】
１    樹脂製容器
２    底部
１０    脚部
１０ａ    下端
１２    底部中央部
【図１】
0003116296.tif 000003
【図２】
0003116296.tif 000004
【図３】
0003116296.tif 000005